(57)【要約】【課題】ＲＡＳ装置の物理リンクリソース数を増やすことなく呼損率を削減する。【解決手段】ＲＡＳ装置２では、ＩＳＰサーバ装置３との間の回線リソースである論理リンクリソースの数が、端末装置１１〜１５との間の回線リソースである物理リンクリソースの数よりも多く設定されている。ＲＡＳ装置２では、ある回線がドーマント状態に移行すると論理リンクリソースは接続状態を維持したまま物理リンクリソースのみを解放して他の端末装置１１〜１５が使用可能な状態にするので、物理リンクリソース数を増やすことなく呼損率が削減される。【選択図】      図１
2004266610.tif 000002
【特許請求の範囲】
【請求項１】
回線交換網を介して受信したデータリンク起動側装置である端末装置からの接続要求によりリンクを起動して、インターネット網を介してＩＳＰサーバ装置に対する接続を行うデータリンク被起動側装置であり、備えている回線リソースを前記各端末装置に対する物理リンクリソースと、前記ＩＳＰサーバ装置に対する論理リンクリソースとに分離して接続管理を行うリモートアクセスサーバ装置において、
前記論理リンクリソースの数である論理リンクリソース数が、前記物理リンクリソースの数である物理リンクリソース数よりも多く設定され、端末装置から新たな接続要求を受信すると、現在使用されていない論理リンクリソースおよび接続識別子を用いてＩＳＰサーバ装置への接続を行い、端末装置からドーマント状態に移行する旨の要求を受信すると、ＩＳＰサーバ装置との間の論理リンクリソースをそのまま接続状態としたままで該端末装置との間の物理リンクリソースを解放し、端末装置から接続識別子を提示した再接続要求を受信した場合該接続識別子に対して設定されている論理リンクリソースを用いて再接続を行うことを特徴とするリモートアクセスサーバ装置。
【請求項２】
回線交換網を介して受信したデータリンク起動側装置である端末装置からの接続要求によりリンクを起動して、インターネット網を介してＩＳＰサーバ装置に対する接続を行うデータリンク被起動側装置であるリモートアクセスサーバ装置であって、
接続識別子および前記ＩＳＰサーバ装置に対する回線リソースである論理リンクリソースの使用状況に関する情報の管理を行っていて、現在使用中の論理リンクリソースの情報と該論理リンクリソースに対して設定されている接続識別子とを関連付けて記憶しているリンク情報管理部と、
前記各端末装置に対する回線リソースである物理リンクリソースの管理を行っていて、端末装置からの接続要求を受信すると、前記リンク情報管理部へアクセスして現在使用されていない論理リンクリソースおよび接続識別子を捕捉し、捕捉した論理リンクリソースを指定した接続要求を行い、捕捉した接続識別子を接続要求を送信してきた端末装置に送信し、端末装置からドーマント状態に移行する旨の要求を受信すると、その端末装置との間の物理リンクリソースを解放し、端末装置から接続識別子を提示した再接続要求を受信した場合、前記リンク情報管理部を検索することにより、その接続識別子に対して設定されている論理リンクリソースを特定し、その特定された論理リンクリソースを指定した接続要求を行う物理リンクリソース制御部と、
前記物理リンクリソースの数である物理リンクリソース数よりも多い数の論理リンクリソースの管理を行っていて、前記物理リンクリソース制御部から使用する論理リンクリソースを指定した接続要求を受信すると、その指定された論理リンクリソースを用いてＩＳＰサーバ装置への接続を行う論理リンクリソース制御部と、を備えているリモートアクセスサーバ装置。
【請求項３】
回線交換網を介して受信したデータリンク起動側装置である端末装置からの接続要求によりリンクを起動して、インターネット網を介してＩＳＰサーバ装置に対する接続を行うデータリンク被起動側装置であるリモートアクセスサーバ装置に備えられている回線リソースを管理するためのリソース管理方法であって、
リモートアクセスサーバ装置に備えられている回線リソースを、前記各端末装置に対する物理リンクリソースと、前記ＩＳＰサーバ装置に対する論理リンクリソースとに分離し、前記論理リンクリソースの数である論理リンクリソース数が、前記物理リンクリソースの数である物理リンクリソース数よりも多くなるように設定するステップと、
端末装置から新たな接続要求を受信すると、現在使用されていない論理リンクリソースおよび接続識別子を用いてＩＳＰサーバ装置への接続を行うステップと、
端末装置からドーマント状態に移行する旨の要求を受信すると、ＩＳＰサーバ装置との間の論理リンクリソースをそのまま接続状態としたままで該端末装置との間の物理リンクリソースを解放するステップと、
端末装置から接続識別子を提示した再接続要求を受信した場合該接続識別子に対して設定されている論理リンクリソースを用いて再接続を行うステップとを備えたリソース管理方法。
【請求項４】
回線交換網を介して受信したデータリンク起動側装置である端末装置からの接続要求によりリンクを起動して、インターネット網を介してＩＳＰサーバ装置に対する接続を行うデータリンク被起動側装置であるリモートアクセスサーバ装置に備えられている回線リソースを管理するためのリソース管理方法をコンピュータに実行させるためのプログラムであって、
リモートアクセスサーバ装置に備えられている回線リソースを、前記各端末装置に対する物理リンクリソースと、前記ＩＳＰサーバ装置に対する論理リンクリソースとに分離し、前記論理リンクリソースの数である論理リンクリソース数が、前記物理リンクリソースの数である物理リンクリソース数よりも多くなるように設定する処理と、
端末装置から新たな接続要求を受信すると、現在使用されていない論理リンクリソースおよび接続識別子を用いてＩＳＰサーバ装置への接続を行う処理と、
端末装置からドーマント状態に移行する旨の要求を受信すると、ＩＳＰサーバ装置との間の論理リンクリソースをそのまま接続状態としたままで該端末装置との間の物理リンクリソースを解放する処理と、
端末装置から接続識別子を提示した再接続要求を受信した場合該接続識別子に対して設定されている論理リンクリソースを用いて再接続を行う処理とをコンピュータに実行させるためのプログラム。
【請求項５】
インターネットを利用する利用者の端末装置である複数のデータリンク起動側装置と、
接続識別子および前記複数のリモートアクセスサーバ装置の論理リンクリソースの使用状況に関する情報および使用されている論理リンクリソースを備えているリモートアクセスサーバ装置を特定するための情報を総合的に管理していて、現在使用中の論理リンクリソースの情報と該論理リンクリソースに対して設定されている接続識別子およびその論理リンクリソースが備えられたリモートサクセスサーバ装置を特定するための情報とを関連付けて記憶しているコネクション管理サーバ装置と、
前記各端末装置に対する回線リソースである物理リンクリソースの管理を行っていて、端末装置からの接続要求を受信すると、前記リンク情報管理部へアクセスして現在使用されていない論理リンクリソースおよび接続識別子を捕捉し、捕捉した論理リンクリソースを指定した接続要求を行い、捕捉した接続識別子を接続要求を送信してきた端末装置に送信し、端末装置からドーマント状態に移行する旨の要求を受信すると、その端末装置との間の物理リンクリソースを解放し、端末装置から接続識別子を提示した再接続要求を受信した場合、前記コネクション管理サーバ装置を検索することにより、その接続識別子に対して設定されている論理リンクリソースおよび該論理リンクリソースが備えられたリモートアクセスサーバ装置を特定し、特定されたリモートアクセスサーバ装置が自装置の場合その特定された論理リンクリソースを指定した接続要求を行い、特定されたリモートアクセスサーバ装置が自装置以外のリモートアクセスサーバ装置の場合には前記ＲＡＳ間通信制御部に対して接続要求を行う物理リンクリソース制御部と、前記物理リンクリソースの数である物理リンクリソース数よりも多い数の論理リンクリソースの管理を行っていて、前記物理リンクリソース制御部またはＲＡＳ間通信制御部から使用する論理リンクリソースを指定した接続要求を受信すると、その指定された論理リンクリソースを用いてＩＳＰサーバ装置への接続を行う論理リンクリソース制御部と、他のリモートアクセスサーバ装置との間でデータ通信を行うためのＲＡＳ間通信制御部を備えた複数のリモートアクセスサーバ装置と、
を備えている通信システム。
【発明の詳細な説明】
【０００１】
【発明の属する技術分野】
本発明は、ドーマント機能を導入した通信システムおよびリモートアクセスサーバ装置とこのリモートアクセスサーバ装置に備えられている回線リソースを管理するためのリソース管理方法に関する。
【０００２】
【従来の技術】
端末装置がダイヤルアップ接続によりインターネット網に接続を行いたい場合、リモートアクセスサーバ（ＲＡＳ：Ｒｅｍｏｔｅ  Ａｃｃｅｓｓ  Ｓｅｒｖｅｒ）装置が用いられる。このＲＡＳ装置は、複数の端末装置から回線交換網を介して要求された呼を、インターネット網を介してＷｅｂサーバ装置やメールサーバ装置等のＩＳＰ（Ｉｎｔｅｒｎｅｔ  Ｓｅｒｖｉｃｅ  Ｐｒｏｖｉｄｅｒ）サーバ装置へ接続する機能を有している。
【０００３】
上述のような通信システムにおいて、端末装置が例えば携帯電話であった場合、電波状態の悪化によりＲＡＳ装置との間の回線が切断されてしまう場合がある。
【０００４】
このような問題に対処するため、インターネットを利用する利用者の端末装置であるデータリンク起動側装置の動作休止時（以下、ドーマント状態と称す）に、データリンク被起動側装置（上記ＲＡＳ装置）との回線接続を切断し、データリンク起動側装置の動作再開時（アクティブ状態）にデータリンク被起動側装置との回線を再接続するドーマント機能を備えた通信システムが提案されている（例えば、特許文献１参照。）。
【０００５】
このドーマント機能は、社団法人  電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ、ＵＲＬ：  ｈｔｔｐ：／／ｗｗｗ．ａｒｉｂ．ｏｒ．ｊｐ／）発行のＰＩＡＦＳ（ＰＨＳ  Ｉｎｔｅｒｎｅｔ  Ａｃｃｅｓｓ  Ｆｏｒｕｍ  Ｓｔａｎｄａｒｄ）関連標準規格である、ＭＩＴＦ（Ｍｏｂｉｌｅ  Ｉｎｔｅｒｎｅｔ  Ａｃｃｅｓｓ  Ｆｏｒｕｍ）ダイヤルアップ・ドーマント・プロトコル（ＡＲＩＢ  ＳＴＤ−Ｔ７８  １．０版  平成１３年  ７月２７日）に基づいて実現される（非特許文献１参照。）。
【０００６】
この非特許文献１中、１ページ目の「ＭＩＴＦダイヤルアップドーマントプロトコルの位置付け」における図１．１「ＭＩＴＦダイヤルアップドーマントプロトコルを適用する通信環境」にドーマント機能を実現するための通信環境が示されている。
【０００７】
このようなＭＩＴＦダイヤルアップ・ドーマント・プロトコルを採用した通信システムでは、ＲＡＳ装置が有している回線リソースを、端末装置と回線交換網を介して接続するための回線リソースである物理リンクリソースと、ＩＳＰサーバ装置等とインターネット網を介して接続するための回線リソースである論理リンクリソースに区別する。そして、ＲＡＳ装置では、ある呼をドーマント状態とする場合、このドーマント状態となる呼の論理リンクリソースの接続を維持したまま物理リンクリソースを解放するようにしている。そのため、携帯電話等において、電波状態の悪化等により物理リンクが不意に切断された場合でも、論理リンクリソースが残ることにより物理リンクリソースのみを再接続することにより元の通信を継続することが可能となる。
【０００８】
上述した物理リンクリソースとは、例えば電話回線等の回線リソースであるため、ＲＡＳ装置に設けることができる物理リンクリソース数には限りがある。そのため、回線を接続できる端末装置の数はこの物理リンクリソース数により制限される。その結果、近年、インターネット利用の急激な増大に伴ってＲＡＳ装置と端末装置との接続容量不足により、端末装置からの新たな呼に対してダイヤルアップ接続サービスが提供できず呼損が発生してしまうとう問題が発生している。
【０００９】
【特許文献１】
特開２００２−１０３４１号公報
【非特許文献１】
“ＭＩＴＦダイヤルアップ・ドーマント・プロトコル（ＡＲＩＢ  ＳＴＤ−Ｔ７８  １．０版）”、平成１３年７月２７日、社団法人  電波産業会発行、［ｏｎｌｉｎｅ］、［平成１５年２月１９日検索］、インターネット、＜ＵＲＬ：  ｈｔｔｐ：／／ｗｗｗ．ａｒｉｂ．ｏｒ．ｊｐ／ｔｙｏｓａｋｅｎｋｙｕ／ｋｉｋａｋｕ＃ｄｏｗｎｌｏａｄ／ｉｍｇ／ｓｔｄ＃ｔ７８．ｐｄｆ  ＞
【００１０】
【発明が解決しようとする課題】
上述した従来の通信システムでは、ＲＡＳ装置に備えられている物理リンクリソース数以上の接続要求が端末装置からあった場合、この接続要求に対してサービスを提供することができず呼損が発生してしまうという問題点があった。
【００１１】
本発明の目的は、ＲＡＳ装置の物理リンクリソース数を増やすことなく呼損率を削減することができる通信システムおよびＲＡＳ装置を提供することである。
【００１２】
【課題を解決するための手段】
上記目的を達成するために、本発明のリモートアクセスサーバ装置は、回線交換網を介して受信したデータリンク起動側装置である端末装置からの接続要求によりリンクを起動して、インターネット網を介してＩＳＰサーバ装置に対する接続を行うデータリンク被起動側装置であり、備えている回線リソースを前記各端末装置に対する物理リンクリソースと、前記ＩＳＰサーバ装置に対する論理リンクリソースとに分離して接続管理を行うリモートアクセスサーバ装置において、前記論理リンクリソースの数である論理リンクリソース数が、前記物理リンクリソースの数である物理リンクリソース数よりも多く設定され、端末装置から新たな接続要求を受信すると、現在使用されていない論理リンクリソースおよび接続識別子を用いてＩＳＰサーバ装置への接続を行い、端末装置からドーマント状態に移行する旨の要求を受信すると、ＩＳＰサーバ装置との間の論理リンクリソースをそのまま接続状態としたままで該端末装置との間の物理リンクリソースを解放し、端末装置から接続識別子を提示した再接続要求を受信した場合該接続識別子に対して設定されている論理リンクリソースを用いて再接続を行うことを特徴とする。
【００１３】
本発明によれば、ＩＳＰサーバ装置との間の回線リソースである論理リンクリソースの数が、端末装置との間の回線リソースである物理リンクリソースの数よりも多く設定され、ある回線がドーマント状態に移行すると論理リンクリソースは接続状態を維持したまま物理リンクリソースのみを解放して他の端末装置が使用可能な状態としているので、物理リンクリソース数を増やすことなく呼損率を削減することができる。
【００１４】
【発明の実施の形態】
ここでは、本発明の各実施形態について説明する前に、本発明の概要について図１を参照して説明する。図１に示す通信システムでは、５つの端末装置１１〜１５とＲＡＳ装置２とが回線交換網により接続され、ＲＡＳ装置２とＩＳＰサーバ装置３とがインターネット網により接続されている。
【００１５】
従来、ＲＡＳ装置の回線リソースを物理リンクリソースと論理リンクリソースに分離した場合、物理リンクリソース数と論理リンクリソース数の関係については規定されていなかった。本発明では、データリンク被起動側装置であるＲＡＳ装置２の回線リソースの管理を、データリンク起動側装置である端末装置１１〜１５に対する物理リンクリソースと、ＩＳＰサーバ装置３に対する論理リンクリソースとに分離する場合、拡張の容易な論理リンクリソース数を物理リンクリソース数よりも多く実装させることにより同時接続数を拡大して、呼損率の低減を図るものである。
【００１６】
データリンク被起動側装置であるＲＡＳ装置２の物理リンクリソースは、装置に依存した有限数分のリソースしか備えられていない。そのため、同一な機能をもつそれぞれ独立した端末装置１１〜１５がＩＳＰサーバ装置３に同時に接続できる数は、物理リンクリソース数に依存することとなる。図１では、３つの物理リンクリソースが存在することを表しており、同時接続数は３である。
【００１７】
ＲＡＳ装置２ではＩＳＰサーバ装置３へ接続するための論理リンクリソースを設ける。ＩＳＰサーバ装置３への同時接続数を拡張するために、論理リンクリソース数は物理リンクリソース数より多い数とする。図１では、５つの論理リンクリソースが存在し、ＩＳＰサーバ装置３との同時接続数が５となる。
【００１８】
端末装置１から接続要求がきた場合、物理リンクリソース、論理リンクリソースの順で捕捉し、論理リンクリソースよりＩＳＰサーバ装置３へ接続して初めて端末装置１とＩＳＰサーバ装置３が通信可能となる。この通信可能な状態で一定時間の無通信状態を検出すると、ＲＡＳ装置２では、物理リンクリソースを解放し、端末装置１および論理リンクリソースはドーマント状態というリソースは捕捉しているが休止した状態に遷移する。解放された物理リンクリソースは、新たな端末装置１１〜１５からの接続要求に対して捕捉可能な状態となる。
【００１９】
端末装置１１〜１５のうちのドーマント状態の端末装置が再び通信を行いたい場合、その端末装置より再接続要求を行う。ＲＡＳ装置２では、新たな物理リンクリソースを捕捉した後、先に捕捉したドーマント状態にある論理リンクリソースを検索・接続し、先の通信を継続する。
【００２０】
このように、本発明では、無通信状態の物理リンクリソースを他の通信を行いたい端末装置に解放し有限なリソースを有効利用してビジー状態で呼接続が拒絶されることが減少し、呼損率を削減することが可能となる。
【００２１】
以下、本発明の実施形態について図面を参照して詳細に説明する。
【００２２】
（第１の実施形態）
図２は本発明の第１の実施形態の通信システムの構成を示すブロック図である。
【００２３】
本実施形態の通信システムは、ＲＡＳ装置が１台の場合の動作を示したものであり、また説明を簡単にするために端末装置も１台の端末装置１を用いて説明を行う。
【００２４】
本実施形態の通信システムは、データリンク起動側装置である端末装置１と、端末装置１からの呼を着信して起動するデータリンク被起動側装置であるＲＡＳ装置２と、端末装置１がＷｅｂページを参照する際のアクセス先となるＩＳＰサーバ装置３とにより構成されている。
【００２５】
また、端末装置１とＲＡＳ装置２とは回線交換網により接続され、ＲＡＳ装置２はインターネット網を介してＩＳＰサーバ装置３に対する接続を行う。
【００２６】
端末装置１は、インターネットを利用する利用者により操作されるデータリンク起動側装置であり、ランダムにＲＡＳ装置２に対して接続・通信・解放を行う。
【００２７】
ＩＳＰサーバ装置３は、Ｗｅｂサーバ装置やメールサーバ装置等のサーバ装置であり、受動的に要求に応じた動作を行う。
【００２８】
ＲＡＳ装置２は、回線交換網を介して端末装置１と接続され、端末装置１とインターネット網間で送受信されるデータを中継する機能を有し、物理リンクリソース制御部２１と、論理リンクリソース制御部２２と、リンク情報管理部２３により構成されている。
【００２９】
物理リンクリソース制御部２１は、端末装置１との間の回線である物理リンクリソースを管理していて、端末装置１からの接続要求を受信すると、リンク情報管理部２３へアクセスして現在使用されていない論理リンクリソースおよび接続識別子を捕捉し、論理リンクリソース制御部２２に対して捕捉した論理リンクリソースを指定した接続要求を行い、捕捉した接続識別子を接続要求を送信してきた端末装置１に送信する。そして、端末装置１からドーマント状態に移行する旨の要求を受信すると、端末装置１との間の物理リンクリソースを解放する。また、物理リンクリソース制御部２１は、端末装置１から接続識別子を提示した再接続要求を受信した場合、リンク情報管理部２３を検索することにより、その接続識別子に対して設定されている論理リンクリソースを特定し、その特定された論理リンクリソースを指定した接続要求を論理リンクリソース制御部２２に対して行う。
【００３０】
論理リンクリソース制御部２２は、インターネット網を介してＩＳＰサーバ装置３への回線である論理リンクリソースの管理を行っていて、物理リンクリソース制御部２１から使用する論理リンクリソースを指定した接続要求を受信すると、その指定された論理リンクリソースを用いてＩＳＰサーバ装置３への接続を行う。
【００３１】
物理リンクリソース制御部２１と論理リンクリソース制御部２２は、通信中は１対１でリソースが対応可能となるようにお互いに相手リソースを記憶し、要求に応じたデータの転送などを行う。
【００３２】
リンク情報管理部２３は、接続識別子（ＣＩＤ）および論理リンクリソースの空塞（現在の使用状況）を管理し、現在使用中の論理リンクリソースの情報と該論理リンクリソースに対して設定されている接続識別子とを関連付けて記憶している。そして、リンク情報管理部２３は、物理リンクリソース制御部２１および論理リンクリソース制御部２２からの要求に応じて、論理リンクリソース、接続識別子の捕捉・検索・解放を行う。
【００３３】
次に、本実施形態の通信システムの動作について図面を参照して詳細に説明する。
【００３４】
先ず、図２を参照して本実施形態の通信システムにおける新規呼接続時の動作を示す。
【００３５】
端末装置１よりＲＡＳ装置２に着信すると（ステップ▲１▼）、ＲＡＳ装置２内の物理リンクリソース制御部２１は、リンク情報管理部２３へアクセスして空いている論理リンクリソースおよび接続識別子を捕捉する（ステップ▲２▼）。その後、物理リンクリソース制御部２１は、論理リンクリソース制御部２２へプロセス間通信を用いて接続要求を行う（ステップ▲３▼）。論理リンクリソースが通信可能な状態まで遷移したとき、ＲＡＳ装置２は端末装置１に対して接続識別子を通知する。端末装置１からＩＳＰサーバ装置３までの接続が完了するとデータ通信が可能となり、全リソース状態は、使用中となる（ステップ▲５▼〜▲７▼）。
【００３６】
次に、図３を参照して本実施形態の通信システムにおいてドーマント状態に遷移するときの動作を示す。
【００３７】
ドーマント状態に遷移するのは一定時間の無通信を端末装置１が検出したときであるため、端末装置１より解放を行う（ステップ▲１▼）。このとき、物理リンクリソース制御部２１と論理リンクリソース制御部２２間の接続が切断され、端末装置１〜ＲＡＳ装置２間の物理リンクリソースだけが解放され、ＲＡＳ装置２のリンク情報は保持され、端末装置１と論理リンクリソースがドーマント状態となり、再接続待ちの状態となる（ステップ▲２▼）。
【００３８】
次に、図４を参照して本実施形態の通信システムにおける再接続時の動作を示す。
【００３９】
端末装置１は、初回の接続で払い出された接続識別子を指定して再接続要求を行う（ステップ▲１▼）。着信したＲＡＳ装置２における物理リンクリソース制御部２１は、リンク情報管理部２３へアクセスして、接続識別子から既に捕捉している論理リンクリソースを検索し（ステップ▲２▼）、その論理リンクリソースに対してのリンクを再構築する（ステップ▲３▼）。そのため、論理リンクリソースを変更することなく、切断される前の呼の再接続が行われる（ステップ▲５▼〜▲７▼）。
【００４０】
次に、図５を参照して本実施形態の通信システムにおける解放時の動作を示す。
【００４１】
先ず、端末装置１において利用者の意思により切断が行われると、ドーマント状態への遷移と区別するため、端末装置１は解放を意図する要求を送信する（ステップ▲１▼）。この解放要求は物理リンクリソース制御部２１を介して論理リンクリソース制御部２２まで転送される（ステップ▲２▼）。論理リンクリソース制御部２２は、全ての接続を解放した後（ステップ▲３▼）、リンク情報管理部２３に捕捉リソースの解放を要求するとともに自身のリソースを解放する（ステップ▲４▼）。
【００４２】
最後に、図６を参照して本実施形態の通信システムにおける論理リンク保持タイマ満了によるリソース解放時の動作を示す。
【００４３】
論理リンク保持タイマとは、長時間保留中のリソースに対する強制解放タイマである。論理リンクリソースがドーマント状態に遷移してから一定時間経過した場合、論理リンクリソース管理部２２はリンク情報を解放すると共に、論理リンクリソースのＩＳＰサーバ装置３との接続を解放しを空き状態に遷移させる（ステップ▲１▼）。そして、論理リンクリソース制御部２２は、リンク情報管理部２３に捕捉リソースの解放を要求する（ステップ▲２▼）。
【００４４】
次に、図７を参照して本実施形態の通信システムにおいて用いられる各情報について示す。
【００４５】
リンク捕捉要求は、初回接続時の物理リンクリソースを捕捉後に、物理リンクリソース制御部２１からリンク情報管理部２３に対して行われる。このリンク捕捉要求を受信したリンク情報管理部２３は、無条件に接続識別子および論理リンク番号を捕捉し、結果を物理リンクリソース制御部２１に通知する。そして、物理リンクリソース制御部２１と論理リンクリソース制御部２２は、捕捉した接続識別子と論理リンク番号を互いに保存する。
【００４６】
リンク検索要求は、再接続時の物理リンクリソースを捕捉後に物理リンクリソース制御部２１からリンク情報管理部２３に対して行われる。このリンク検索要求を受信したリンク情報管理部２３は、接続識別子から論理リンク番号を検索する。もし、接続識別子が空きであった場合、リンク情報管理部２３は、リンク捕捉処理に切り替えて新たに論理リンク番号を捕捉する。
【００４７】
これらで求めた情報は、物理リンク情報および論理リンク情報に反映され、以降は物理リンクリソース制御部２１と論理リンクリソース制御部２３間で通信を行う。
【００４８】
リンク解放要求は、論理リンクリソースの解放時に論理リンクリソース制御部２２からリンク情報管理部２３に対して行われる。このリンク解放要求を受信したリンク情報管理部２３は、使用していた接続識別子および論理リンク番号とその情報を解放する。
【００４９】
本実施形態の通信システムによれば、ＲＡＳ装置２が、データ通信を行っていない端末装置１をドーマント状態に遷移させることにより、有限数である物理リンクリソースを他の端末が利用可能な状態に戻すため、物理リンクリソース不足により呼接続失敗となることを回避して、呼損率を削減することができる。
【００５０】
本実施形態では、物理リンクリソース数が３、論理リンクリソース数が５の場合を用いて説明したが、本発明はこれに限定されるものではなく、論理リンクリソース数が物理リンクリソース数よりも多くなるように設定すれば、それぞれのリンクリソース数はどのように設定した場合でも同様に本発明を適用することができるものである。
【００５１】
（第２の実施形態）
次に、本発明の第２の実施形態の通信システムについて説明する。本実施形態の通信システムはＲＡＳ装置が複数設けられたシステムに対して本発明を適用したものである。本実施形態では、複数のＲＡＳ装置を設け、図２に示した第１の実施形態の場合におけるリンク情報管理部２３を別装置としシステム共通で１台設置することにより、大容量のＲＡＳ装置に匹敵するシステムを構築できる。
【００５２】
本実施形態の通信システムは、端末装置１と、複数のＲＡＳ装置１２と、ＩＳＰサーバ装置３と、コネクション管理サーバ装置４とから構成されている。ただし、図８においては、説明を簡単にするため１つのＲＡＳ装置１２にしか示されていない。
【００５３】
また、ＲＡＳ装置１２は、物理リンクリソース制御部２１と、論理リンクリソース制御部２２と、ＲＡＳ間通信制御部（図示せず）を備えている。ＲＡＳ間通信制御部は、他のＲＡＳ装置との間でデータ通信を行うためのＲＡＳ間通信の制御を行っている。
【００５４】
コネクション管理サーバ装置４は、図２に示した第１の実施形態におけるリンク情報管理部２３に相当する機能を備えていて、複数のＲＡＳ装置１２論理リンクリソースの使用状況に関する情報を総合的に管理している。コネクション管理サーバ４では、図７に示した情報の他に論理リンクリソースの備えられたＲＡＳ装置を特定するための情報であるＲＡＳ番号を保持する必要がある。また、物理／論理リンク情報では、お互いの接続中のＲＡＳ番号を保持し、ＲＡＳ間通信においてお互いを指定する必要がある。
【００５５】
次に、本実施形態の通信システムの動作を図８〜図１０を参照して説明する。
【００５６】
先ず、図８を参照して、本実施形態の通信システムにおける初回接続時の機能概要を説明する。
【００５７】
先ず、端末装置１から回線交換網を介してＲＡＳ装置１２に対して接続要求が行われる（ステップ▲１▼）。初回の接続要求を端末装置１から受信した物理リンクリソース制御部２１は、外部装置であるコネクション管理サーバ４と通信してリソース捕捉要求を行い（ステップ▲２▼）、接続識別子および論理リンクリソースの捕捉する。このときには空きリソースを考慮して接続先のＲＡＳ装置が決定されるため、捕捉する論理リンクリソースは物理リンクリソースと同一のＲＡＳ装置の中から決定される。以降のステップ▲３▼から▲７▼までの接続時の処理は、図２を参照して説明した処理と同じ処理であるためその説明は省略する。また、ドーマント状態への移行時は、図３に示した処理と同様の処理である。
【００５８】
次に、図９を参照して、本実施形態の通信システムにおける再接続時の機能概要を説明する。図９では、２つのＲＡＳ装置１２１、１２２が設けられている構成となっている。
【００５９】
そして、ＲＡＳ装置１２１には、物理リンクリソース制御部２１１と、ＲＡＳ間通信制御部２４１とが備えられている。ＲＡＳ装置１２１には、本来、論理リンクリソース制御部２２１も備えられているがここでの動作では必要ないため図９では省略する。また、ＲＡＳ装置１２２には、論理リンクリソース制御部２２２と、ＲＡＳ間通信制御部２４２とが備えられている。ＲＡＳ装置１２２には、本来、物理リンクリソース制御部２２２も備えられているがここでの動作では必要ないため図９では省略する。
【００６０】
ここで、端末装置１からの最初の接続要求はＲＡＳ装置１２２において受信され、ドーマント状態を経て端末装置１が再接続要求を行った際にはＲＡＳ装置１２２の物理リンクリソースは全て使用されていたため、端末装置１からの再接続要求はＲＡＳ装置１２１に着信したものとして説明する。
【００６１】
先ず、端末装置１から回線交換網を介してＲＡＳ装置１２１に対して再接続要求が行われる（ステップ▲１▼）。再接続要求を受信したＲＡＳ装置１２１の物理リンクリソース制御部２１１は、コネクション管理サーバ装置４に接続識別子による検索要求をおこない（ステップ▲２▼）、初回接続したＲＡＳ番号および論理リンクリソースを獲得する。もし、検索結果該当無しの場合、初回接続と同様の捕捉処理が行われる。
【００６２】
検索の結果、物理リンクリソースと論理リンクリソースが同一のＲＡＳ装置であった場合は、図８に示した初回接続時と同様の通信が行われる。つまり、物理リンクリソース制御部２１１は、コネクションサーバ装置４を検索することにより、その接続識別子に対して設定されている論理リンクリソースおよびその論理リンクリソースが備えられたＲＡＳ装置を特定し、特定されたＲＡＳ装置が自装置のの場合、特定された論理リンクリソースを指定した接続要求を行う。
【００６３】
検索の結果、端末装置１からの再接続要求を受信した物理リンクリソースと、初回接続時の論理リンクリソースとが異なるＲＡＳ装置のものであった場合、物理リンクリソース制御部２１１は、ＲＡＳ間通信制御部２４１に対して再接続要求を行う（ステップ▲３▼）。ＲＡＳ間通信制御部２４１は、ＲＡＳ装置１２２のＲＡＳ間通信制御部２４２との間でＲＡＳ間通信を行うことにより物理リンクリソースと論理リンクリソースをＲＡＳ間でつないでリンクを再構築する（ステップ▲４▼）。ＲＡＳ間通信制御部２４１との間のデータ通信により再接続要求を受信したＲＡＳ間通信制御部２４２は、論理リンクリソース制御部２２２に対して再接続要求を行う（ステップ▲５▼）。このような処理が行われることにより、物理リンクリソース制御部２１１、ＲＡＳ間通信制御部２４１、２４２、論理リンクリソース制御部２２２を経由して、端末装置１とＩＳＰサーバ装置３との間でリンクが構築される（ステップ▲６▼〜▲９▼）。
【００６４】
次に、図１０を参照して、本実施形態の通信システムにおける解放時の機能概要について説明する。利用者による解放要求が端末装置１からＲＡＳ装置１２１の物理リンクリソース制御部２１１まで届くと（ステップ▲１▼）、ＲＡＳ間通信制御部２４１、ＲＡＳ間通信制御部２４２、論理リンクリソース制御部２２２を経由して解放要求が転送され全ての接続が切断される（ステップ▲２▼〜▲５▼）。そして、全ての接続のが切断された後、論理リンクリソース制御部２２２は、コネクション管理サーバ４に対して接続識別子および論理リンクリソースの解放を要求し、自身のリソースを解放する（ステップ▲６▼）。
【００６５】
本実施形態では、論理リンクリソース数を物理リンクリソース数よりも多くなるように設定した複数のＲＡＳ装置により通信システムを構成した場合でも、複数のＲＡＳ装置間の論理リンクリソースの使用状況に関する情報および接続識別子を総合的に管理しているコネクション管理サーバ装置４を共通して設けるようにしているので、大容量のＲＡＳ装置に匹敵するシステムを構築できる。
【００６６】
また、図には示されていないが、上記第１および第２の実施形態のＲＡＳ装置２、１２は、上記で説明したリソース管理方法を実行するためのプログラムを記録した記録媒体を備えている。この記録媒体は磁気ディスク、半導体メモリまたはその他の記録媒体であってもよい。このプログラムは、記録媒体からＲＡＳ装置２、１２に読み込まれ、ＲＡＳ装置２、１２の動作を制御する。具体的には、ＲＡＳ装置２、１２内のＣＰＵがこのプログラムの制御によりＲＡＳ装置２、１２のハードウェア資源に特定の処理を行うように指示することにより上記の処理が実現される。
【００６７】
【発明の効果】
以上説明したように、本発明によれば、ＩＳＰサーバ装置との間の回線リソースである論理リンクリソースの数が、端末装置との間の回線リソースである物理リンクリソースの数よりも多く設定され、ある回線がドーマント状態に移行すると論理リンクリソースは接続状態を維持したまま物理リンクリソースのみを解放するようにしているので、物理リンクリソース数を増やすことなく呼損率を削減することができるという効果を得ることができる。
【図面の簡単な説明】
【図１】本発明の第１の実施形態の通信システムの構成を示すブロック図である。
【図２】本発明の第１の実施形態の通信システムにおける新規呼接続時の動作を示す図である。
【図３】本発明の第１の実施形態の通信システムにおけるドーマント状態に遷移するときの動作を示す図である。
【図４】本発明の第１の実施形態の通信システムにおける再接続時の動作を示す図である。
【図５】本発明の第１の実施形態の通信システムにおける解放時の動作を示す図である。
【図６】本発明の第１の実施形態の通信システムにおける論理リンク保持タイマ満了によるリソース解放時の動作を示す図である。
【図７】本発明の第１の実施形態の通信システムにおいて用いられる各情報について示す図である。
【図８】本発明の第２の実施形態の通信システムにおける初回接続時の機能概要を示す図である。
【図９】本発明の第２の実施形態の通信システムにおける再接続時の機能概要を示す図である。
【図１０】本発明の第２の実施形態の通信システムにおける解放時の機能概要を示す図である。
【符号の説明】
１、１１〜１５    端末装置（データリンク起動側装置）
２    ＲＡＳ装置（データリンク被起動側装置）
３    ＩＳＰサーバ装置
４    コネクション管理サーバ装置
１２、１２１、１２２    ＲＡＳ装置（データリンク被起動側装置）
２１、２１１    物理リンクリソース制御部
２２、２２２    論理リンクリソース制御部
２３    リンク情報管理部
２４１、、２４２    ＲＡＳ間通信制御部
【図１】
2004266610.tif 000003
【図２】
2004266610.tif 000004
【図３】
2004266610.tif 000005
【図４】
2004266610.tif 000006
【図５】
2004266610.tif 000007
【図６】
2004266610.tif 000008
【図７】
2004266610.tif 000009
【図８】
2004266610.tif 000010
【図９】
2004266610.tif 000011
【図１０】
2004266610.tif 000012